(57)【特許請求の範囲】
【請求項１】
複数のスラットを回動可能に連結してなり、建物開口部を開閉するシャッターカーテンと、巻取シャフトを内装するシャッターケースと、を備えたシャッター装置において、
前記シャッターカーテンは、複数のスラットを巻取シャフトに巻装可能な方向にのみ回動可能に連結して構成されており、
前記シャッターケースは、ケース上板を支承するように当該シャッターケース内の上方に位置して、ケース上板の躯体側で開口幅方向に延出する第１ケースアングルとケース上板の前側端で開口幅方向に延出する第２ケースアングルとの間を架け渡すように前後方向に延出すると共に、開口幅方向に所定間隔を存して取り付けられた複数のケース補強材を備えており、
各ケース補強材の前端部は前記第２ケースアングルを支持していると共に、建物躯体側の端部は前記第１ケースアングルに装着されており、当該ケース補強材には、前記建物躯体側の端部を前記前端部よりも下方に延出することで係止片が一体形成されており、
前記係止片の下端には、建物開口部を閉鎖したシャッターカーテンの持ち上げに伴って、シャッターケース内において当該係止片に当接するスラットに係止可能な係止部が形成されており、
前記係止片は、シャッターケース内の複数のスラットを挟んで前記巻取シャフトとは反対側に位置しており、建物開口部を閉鎖したシャッターカーテンが持ち上げられた際に、巻取シャフトから離間して躯体側へ膨出する該複数のスラットのうちの少なくとも１つのスラットが前記係止片の係止部に係止するように構成されている、
シャッターカーテンの持ち上げ防止機能を備えたシャッター装置。
【請求項２】
建物開口部を閉鎖したシャッターカーテンが持ち上げられた際に、前記シャッターケース内の複数のスラットは、前記係止片に係止することに加えて、ケース後面板あるいは躯体の面部に当接する、請求項１に記載のシャッターカーテンの持ち上げ防止機能を備えたシャッター装置。
【発明の詳細な説明】
【技術分野】
【０００１】
本発明は、建物開口部の全閉状態におけるシャッターカーテン持ち上げ防止機能を提供できるケース補強材を備えたシャッター装置に関するものである。
【背景技術】
【０００２】
建物開口部を開閉する電動シャッターは、本来、建物開口部を全閉することで外部から室内側への侵入を防止するという防犯の役割を有するものであるが、最近は、シャッター装置をこじ開けて室内に侵入しようとする犯罪が起きている。 
【０００３】
特に、軽量シャッターで構成される電動シャッターでは、シャッターカーテン下端の座板をこじ開けたり、座板と床面の間に手を入れたりし易く、シャッターカーテンを持ち上げた際に、建物開口部上方に設置したシャッターケース内でシャッターカーテンが撓んだり折り重なったりして、床面と座板との間に侵入可能な隙間が形成されてしまう恐れがあった。
【０００４】
そこで本出願人は、全閉するシャッターカーテンが持ち上げられた際に、シャッターケース内で撓むシャッターカーテンのインターロック部を係止する持ち上げ防止部材を、カーテン繰り出し口とケース内面に設けたシャッターカーテンの持ち上げ防止装置を提案した（特許文献１）。
【０００５】
特許文献１のものでは、持ち上げ防止部材が複数設けられているので、確実にシャッターカーテンの持ち上げを防止することができるものの、シャッターの装置構成ごとに、各防止部材の取付け位置や取付け角度を変更する必要があるため、部品点数の増加に伴って製造コストが増大する、という改善の余地を残すものであった。 
【特許文献１】特開２００５−２６４５３０号公報
【発明の開示】
【発明が解決しようとする課題】
【０００６】
本発明は、シャッターケースの構成部品そのものに持ち上げ防止部材としての機能を持たせることにより、部品点数の増加を伴なうことなく、シャッターカーテンの持ち上げ防止機能を提供することを目的とするものである。
【課題を解決するための手段】
【０００７】
本発明が採用した技術手段は、
複数のスラットを回動可能に連結してなり、建物開口部を開閉するシャッターカーテンと、巻取シャフトを内装するシャッターケースと、を備えたシャッター装置において、
前記シャッターカーテンは、複数のスラットを巻取シャフトに巻装可能な方向にのみ回動可能に連結して構成されており、
前記シャッターケースは、ケース上板を支承するように当該シャッターケース内の上方に位置して、ケース上板の躯体側で開口幅方向に延出する第１ケースアングルとケース上板の前側端で開口幅方向に延出する第２ケースアングルとの間を架け渡すように前後方向に延出すると共に、開口幅方向に所定間隔を存して取り付けられた複数のケース補強材を備えており、
各ケース補強材の前端部は前記第２ケースアングルを支持していると共に、建物躯体側の端部は前記第１ケースアングルに装着されており、当該ケース補強材には、前記建物躯体側の端部を前記前端部よりも下方に延出することで係止片が一体形成されており、
前記係止片の下端には、建物開口部を閉鎖したシャッターカーテンの持ち上げに伴って、シャッターケース内において当該係止片に当接するスラットに係止可能な係止部が形成されており、
前記係止片は、シャッターケース内の複数のスラットを挟んで前記巻取シャフトとは反対側に位置しており、建物開口部を閉鎖したシャッターカーテンが持ち上げられた際に、巻取シャフトから離間して躯体側へ膨出する該複数のスラットのうちの少なくとも１つのスラットが前記係止片の係止部に係止するように構成されている、シャッターカーテンの持ち上げ防止機能を備えたシャッター装置、である。
【０００９】
1つの好ましい態様では、前記係止片は、巻取シャフトの頂点と巻取シャフトの中心との間の高さ位置にある。また、1つの好ましい態様では、全閉時において、最上位のスラットの内側面は、巻取シャフトを右上半部、右下半部、左上半部、左下半部の４分円としてみた場合に、呑み込み口側に位置する上半部の下方側から呑み込み口側に位置する下半部にわたって対向している。
【００１０】
1つの好ましい態様では、スラットは、スラットの外側面の下端部位において係止片に係止している。１つの態様では、係止片は、巻取シャフト側に位置する傾斜辺と、巻取シャフトから離間する側に位置する垂直辺と、垂直辺と傾斜辺を結ぶ底辺から逆台形状を有しており、傾斜辺と底辺との角部が係止部を形成している。また、１つの態様では、シャッターケース内の複数のスラットが巻取シャフトから離間して膨出し、スラットが係止片に係止した状態において、係止片に係止するスラットの下側のスラットがケース後面板、あるいは、躯体面部に当接する。 
【発明の効果】
【００１１】
シャッターケースの補強部材として機能するケース補強材を利用することで、シャッター装置の基本構成そのものに持ち上げ防止機能を持たせた。したがって本発明に係るケース補強材を採用することで、部品点数の増加を要することなく、持ち上げ防止機構としての機能をシャッター装置に付与することができる。また持ち上げ防止部材を別部材として用意するような従来構成に比してシャッター装置の据え付け工事時に施工忘れを誘発することがない。
【発明を実施するための最良の形態】
【００１２】
本発明の構成を、図面に示した一実施例に基づいて説明する。図１において、Ａは建物開口部に設置された電動シャッターであり、電動シャッターＡは、複数のスラット１、１…を上下に連設して形成したシャッターカーテン２と、開口部左右に立設した左右のガイドレール３と、開口部の上部に設けたシャッターケース４と、シャッターケース４内に設けた巻取シャフト５と、巻取シャフト５を回転させるシャッター開閉機（図示せず）とから構成されている。建物開口部の全開放時には、シャッターカーテン２は巻取シャフト５に巻装されている。建物開口部の全閉時には、シャッターカーテン２は巻取シャフト５からシャッターケース４下方に設けられたスラット呑み込み口４０から繰り出されてガイドレール３に案内されながら降下し、図示のように、シャッターカーテン２下端の座板６が着床することで開口部が全閉状態に閉鎖されるように構成されている。なお、５ａはシャッターカーテン２の吊り元側のスラット１を巻取シャフト５に止着する吊り元金具である。 
【００１３】
スラット１、１…は、図４（ａ）（ｂ）に示すように、断面視皿状の形状を有して開口幅方向に延出する長尺状の中空材で構成されており、その高さ方向上下端部にはインターロック部７ａ、７ｂが形成されている。巻装時に巻取シャフト５側に位置する面を内側面とすると、図４において、緩やかな凸面である左側面部が外側面１ａ、緩やかな凹面である右側面部が内側面１ｂとなる。スラット１の上端部に形成されたインターロック部７ａは、スラット１の上端部から上方に立ち上がり、かつ、内側面１ｂ側に湾曲したフック部からなる。スラット１の下端部に形成されたインターロック部７ｂは、スラット１の内側面１ｂの下端部から下方に延出し、かつ、外側面１a側に湾曲したフック部と、フック部の外側面１a側に位置して下方に突出する突部７０ｂと、からなる。図４（ｂ）に示すように、インターロック部７ａ及びインターロック部７ｂのフック部は、スラット１の中心線Ｙより内側面１ｂに偏倚して形成されており、インターロック部７ｂの突部７０ｂは中心線Yより外側面１aに偏倚している。スラット１、１…を上下方向に鉛直状に延出するシャッターカーテン２として構成した場合に、上下に隣接するスラット１、１間で、上側スラット１のインターロック部７ｂのスラット外側面１ａ側の突部７０ｂを形成する面７ｂ´と、下側スラット１のインターロック部７ａ側の外側面１a側に形成された面７ａ´とが、近接対向するように構成されている。
【００１４】
シャッターカーテン２が巻取シャフト５に巻装される際には、上下に隣接する各スラット１、１間において、同図（ｃ）に示すように、インターロック部７ａ、７ｂでの巻装可能な方向への回動変姿は許すものの、同図（ｄ）のように、インターロック部７ａ、７ｂ同士が反巻装方向に回動しようとした際には、インターロック部７ｂ側の面７ｂ´と、インターロック部７ａ側の面７ａ´が当接して、スラット１、１の回動作動を規制するように構成されている。 
【００１５】
図５に示すように、シャッターケース４は、ケース上板４a、ケース前面板4b、ケース下板4cと、ケース後面板４ｄと、巻取シャフト５の両端を支持する図示しない左右のブラケットと、を有している。ケース上板4aの躯体側には、開口幅方向に延出するケースアングル8aが設けてあり、ケース上板４aの前側端(ケース前面板４bの上端)には、開口幅方向に延出するケースアングル8bが設けてある。
【００１６】
シャッターケース４には、シャッターケース４を補強する部材として、リブ状のケース補強材９がケース内に取り付けてある。ケース補強材９は、シャッターケース４内において、前後のケースアングル8a,8b間を架け渡すように設けてある。ケース補強材９、９…は、開口幅方向に所定間隔を存して複数配設されている。ケース補強材９は、ケース上板4a及びケースアングル8a,8b（特に、前方側のケースアングル8b）の垂れ下がりを防止しており、シャッターケース４を補強する機能を有する。
【００１７】
ケース補強材９、９…は、図２（ｂ）に示すように、ケース上板４aを支承する長尺状の本体９´を有する。本体９´は、前後方向に延出する板状体であり、本体９´の前端には断面視L形状の支持部９aが一体形成されており、支持部９aには、シャッターケース４の前方側のケースアングル8bが支持される。板状の本体９´の後端側には、対向状の側片９ｂが形成されており、側片の後端側を直角状に折り返すことで、シャッターケース４の後方側ケースアングル8aを受け入れる凹部が形成されており、ケース補強材９は、折り返し片９ｃを介して、ケースアングル８aに装着される。
【００１８】
ケース補強材９は、建物開口部を閉鎖したシャッターカーテン２が持ち上げられた際に、シャッターケース４内のスラット１が引っ掛かるような係止部材としての機能をも有する。ケース補強材９の対向状の側片９ｂの下端は下方に延出されて、一対の係止片１０、１０が一体的に形成されている。係止片１０は、建物開口部を閉鎖したシャッターカーテン２の持ち上げに伴って、シャッターケース４内において当該係止片１０に当接するスラット１に係止可能なように構成されている。ケース補強材９の側片９ｂ及び係止片１０は、開口部全開時におけるシャッターカーテン２の最大径の巻を妨げないような形状を有している。本実施形態では、図６に示すように、係止片１０は、逆台形状を有しており、駆体側の垂直辺１００、巻取シャフト側の傾斜辺１０１、垂直辺１００と傾斜辺１０１の下端を結ぶ水平状の底辺１０２とを備えており、傾斜辺１０１と底辺１０２とが交わる角部が係止部１０３を形成している。スラット１は、スラット１の下端のインターロック部７ｂのスラット外側面１ａの下端部位（突部７０ｂ）において、係止部１０３に係止する。また、図示の例では、底辺１０２の寸法は、スラット１の厚さと略同じ大きさである。
【００１９】
スラット１が良好に係止片１０に係止するためには、全閉時におけるシャッターケース４内のスラット１と係止片１０との位置関係は重要である。図２、図５、図７に示すように、係止片１０の位置は、巻取シャフト５の頂点Zと中心Xとの間の高さ位置に配置されている。また、全閉時において、最上位のスラット１´（後述する実質的に最上位のスラット１´を含む）の内側面1bは、巻取シャフト５を右上半部、右下半部、左上半部、左下半部の４分円としてみた場合に、左上半部（躯体側上半部）の下方側から左下半部（躯体側下半部）にわたって対向している。また、係止片１０は、シャッター芯（呑み込み口４０）に対して、躯体側に位置している。
【００２０】
図３（ａ）〜（ｃ）は、全閉時における巻取シャフト5に対するシャッターカーテンの吊り元5aの取り付け位置を示す図である。図３（ａ）の場合には、吊り元５ａは、巻取シャフト５の左上半部（躯体側上半部）に装着されており、最上位のスラット１´の内側面１bは左上半部（躯体側上半部）の下方側から左下半部（躯体側下半部）にわたって対向している。図３(b)の場合には、吊り元５aは巻取シャフト５の右上半部に装着されており、吊り元5aに連結されている最上位のスラット１は、巻取シャフト５の左半部の上方側に位置しており、最上位のスラット１を巻取シャフトに止着する。こうすることで、当該止着された最上位のスラット１が実質的に吊り元５０aとして機能し、巻取シャフト5に止着され固定された吊り元50aに対して、それに連結された２番目のスラット1´が実質的な最上位のスラットとして回動するようになっている。この実質的最上位のスラット１´の内側面１bは左上半部（躯体側上半部）の下方側から左下半部（躯体側下半部）にわたって対向している。
【００２１】
図３(ｃ)の場合には、最上位のスラット１に連結されている２番目のスラット1が、巻取シャフト５の左半部に位置しており、この最上位のスラット１に連結されている２番目のスラット1を巻取シャフト５に止着する。こうすることで、当該止着された２番目のスラット1が実質的に吊り元50aとして機能し、巻取シャフト5に止着され固定された吊り元50aに対して、それに連結された３番目のスラット1´が実質的な最上位のスラットとして回動するようになっている。この実質的最上位のスラット１´の内側面１bは左上半部（躯体側上半部）の下方側から左下半部（躯体側下半部）にわたって対向している。
【００２２】
本発明に係るケース補強材９によって提供される持ち上げ防止機構は、図７に示すように、寸法の大小異なる多種多様な装置構成のシャッターケース１１ａ、１１ｂ、１１ｃに対しても、幅広く適用できる。この場合、いずれの装置構成においても、巻取シャフト５の中心位置Ｘと、頂点位置Ｚの水平延長線間内に、ケース補強材９の係止片１０、１０の下端の係止部１０３が位置するように構成すれば、シャッターカーテン２の持ち上げ防止の機能を得ることが可能となる。
【００２３】
本発明は叙上のように構成されているから、建物開口部を閉鎖したシャッターカーテン２が持ち上げられた際には、シャッターカーテン２下端の座板６に連設されたスラット１から除々に持ち上げられ、その上向きの力が上方の各スラット１、１…に伝達されてシャッターケース４内に位置するカーテン部位にまで到達することになる。この時、シャッターケース４内で連設された各スラット１、１…は、図５に示すように、巻取シャフト５の吊元側から離間して躯体側へ膨出し、シャッターケース４内に位置するスラット１のスラット外側面１ａの下端部位（突部７０ｂ）が、ケース補強材９、９…の各係止片１０、１０に当接し、スラット外側面１ａ側の下端部位（突部７０ｂ）が、ケース補強材９の係止片１０、１０の係止部１０３に係止され、かつ、係止片１０に係止しているスラット１の下側に位置するスラット１がケース後面板４ｄ（ケース後面板４ｄが無い場合には、躯体の面部）に当接し、各スラット１、１…を介して伝達される上向きの持ち上げ力がスラット１を係止片１０、ケース後面板４ｄ（ケース後面板４ｄが無い場合には、躯体の面部）に押し付ける力に分散されて、それ以上のシャッターカーテン２の持ち上げが防止される。尚、実施形態では、スラット１は、スラットの外側面１aの下端部位（下端のインターロック部7bの突部70b）において係止片１０に係止しているが、下端部位以外の外側面１aにおいて係止片１０に係止するものでもよい。係止片１０及び係止部１０３の形状・構成についても、図示のものには限定されない。
【産業上の利用可能性】
【００２４】
本発明はシャッターの防犯機構として用いられる。
【図面の簡単な説明】
【００２５】
【図１】シャッター装置の概略正面図である。
【図２】（ａ）はシャッターケースの要部断面図、（ｂ）はケース補強材の全体斜視図である。
【図３】（ａ）〜（ｃ）はそれぞれ巻取シャフトに対するシャッターカーテンの固定位置を示す図である。
【図４】（ａ）はシャッターカーテンの要部断面図、（ｂ）は同上要部拡大断面図、（ｃ）および（ｄ）はスラットの連設状態を説明する説明図である。
【図５】全閉状態で持ち上げられたシャッターカーテンのシャッターケース内の状態を示す作用説明図である。
【図６】係止片とスラットとの係止部分の拡大図である。
【図７】（ａ）〜（ｃ）は形状の大小異なる多種多様な装置構成のシャッターケースにおける係止片と巻取シャフトの位置関係を示す説明図である。
【符号の説明】
【００２６】
１    スラット
１ａ  スラット外側面
１ｂ  スラット内側面
２    シャッターカーテン 
３    ガイドレール 
４    シャッターケース
５    巻取シャフト
９    ケース補強材 
１０  係止片
【図１】
0004791140.tif 000002
【図２】
0004791140.tif 000003
【図３】
0004791140.tif 000004
【図４】
0004791140.tif 000005
【図５】
0004791140.tif 000006
【図６】
0004791140.tif 000007
【図７】
0004791140.tif 000008